(57)【特許請求の範囲】
【請求項１】
屋根上の積雪を支える雪止めバーを前記屋根に固定するための雪止め支持金具であって、
前記屋根の表面のうち平坦状の部分に配置され、ビス挿通孔が形成された板状のベース部と、
前記ベース部から前記屋根の表面と反対側に向かって突出するように形成され、前記雪止めバーを支持すると共に前記雪止めバーに固定される突出部とを有し、
前記ベース部の前記ビス挿通孔に挿通されて、前記屋根の屋根材を貫通して、前記屋根材を支える屋根基部にねじ込まれる前記固定ビスによって、前記屋根基部に固定され、
前記突出部は、前記ベース部の上面に設けられた円柱部と、前記円柱部より小径であって、前記円柱部の上面の中央部に接続されたボルト部と、前記円柱部の上面と前記ボルト部の側面により形成され、前記雪止めバーを支持する段部とからなることを特徴とする雪止め支持金具。
【請求項２】
屋根の表面全体を覆う防水部材と、
前記屋根の表面のうち平坦状の部分に前記防水部材を介して配置され、ビス挿通孔が形成された板状のベース部、および、当該ベース部から前記屋根の表面と反対側に向かって突出するように形成された突出部を有する雪止め支持金具と、
前記ベース部の前記ビス挿通孔に挿通されて、前記屋根の屋根材を貫通して、前記屋根材を支える屋根基部にねじ込まれて、前記雪止め支持金具を前記屋根基部に固定する固定ビスと、
前記ベース部と前記防水部材の前記ベース部の周囲部を覆うように配置され、前記突出部が貫通されるシール部材と、
前記突出部に支持される雪止めバーと、
前記突出部に前記雪止めバーを固定する固定部材とを有し、
前記突出部は、前記ベース部の上面に設けられた円柱部と、前記円柱部より小径であって、前記円柱部の上面の中央部に接続されたボルト部と、前記円柱部の上面と前記ボルト部の側面により形成され、前記雪止めバーを支持する段部とからなることを特徴とする雪止め構造を伴った屋根の防水構造。 
【発明の詳細な説明】
【技術分野】
【０００１】
本発明は、雪止め支持金具、及び、雪止め構造を伴った屋根の防水構造に関する。
【背景技術】
【０００２】
降雪が多い地域では、屋根に積もった雪が屋根から落下するのを防止するために、雪止めバーが屋根に設置されている。雪止めバーは、雪止め支持金具を介して屋根に固定される。横葺き屋根に適用される従来の雪止め支持金具は、屋根板の接続部における折り返し部の下に差し込まれて固定されたり、折り返し部を掴んだりして屋根に固定されている（例えば特許文献１、２参照）。また、縦葺き屋根に適用される従来の雪止め支持金具は、屋根板の接続部における立上り部を掴んで屋根に固定されている（例えば特許文献３参照）。また、瓦屋根に適用される従来の雪止め支持金具は、瓦の端に引っ掛けることで屋根に固定されている（例えば特許文献４参照）。
【先行技術文献】
【特許文献】
【０００３】
【特許文献１】実登第2516610号公報
【特許文献２】実登第3031847号公報
【特許文献２】特許第2909885号公報
【特許文献２】特開平9-221893号公報
【発明の概要】
【発明が解決しようとする課題】
【０００４】
屋根は、長期間の使用により老朽化して雨漏り等の問題が生じる場合がある。そこで、屋根の防水性を回復させるために、屋根の表面全体を防水部材で覆うことが行われている。
ところが、上述したような従来の雪止め支持金具は、屋根材（屋根板や瓦）を利用して固定するため、屋根の表面を防水部材で覆ってしまうと設置できなくなる。
【０００５】
そこで、本発明は、屋根の表面を防水部材で覆っていても設置が可能であって、屋根材の接続部や端部がなくても屋根に固定することができる雪止め支持金具と、この雪止め支持金具を用いた、雪止め構造を伴った屋根の防水構造を提供することを目的とする。
【課題を解決するための手段及び発明の効果】
【０００６】
本発明の雪止め支持金具は、屋根上の積雪を支える雪止めバーを前記屋根に固定するための雪止め支持金具であって、前記屋根の表面のうち平坦状の部分に配置され、ビス挿通孔が形成された板状のベース部と、前記ベース部から前記屋根の表面と反対側に向かって突出するように形成され、前記雪止めバーを支持すると共に前記雪止めバーに固定される突出部とを有し、前記ベース部の前記ビス挿通孔に挿通されて、前記屋根の屋根材を貫通して、前記屋根材を支える屋根基部にねじ込まれる前記固定ビスによって、前記屋根基部に固定され、
前記突出部は、前記ベース部の上面に設けられた円柱部と、前記円柱部より小径であって、前記円柱部の上面の中央部に接続されたボルト部と、前記円柱部の上面と前記ボルト部の側面により形成され、前記雪止めバーを支持する段部とからなることを特徴とする。 
【０００７】
この構成によると、雪止め支持金具は、屋根の表面の平坦状の部分に配置されて、固定ビスによって屋根基部に固定される。したがって、平坦状の部分を有する屋根であればどのような種類の屋根であっても雪止め支持金具を設置することができ、屋根材の接続部や端部を利用せずに雪止め支持金具を屋根に固定することができる。また、雪止め支持金具は、屋根材の接続部や端部を利用せずに固定ビスによって屋根に固定されるため、たとえ屋根の表面が防水部材で覆われていても防水部材の上から雪止め支持金具を設置することができる。
【０００８】
本発明の雪止め構造を伴った屋根の防水構造は、屋根の表面全体を覆う防水部材と、前記屋根の表面のうち平坦状の部分に前記防水部材を介して配置され、ビス挿通孔が形成された板状のベース部、および、当該ベース部から前記屋根の表面と反対側に向かって突出するように形成された突出部を有する雪止め支持金具と、前記ベース部の前記ビス挿通孔に挿通されて、前記屋根の屋根材を貫通して、前記屋根材を支える屋根基部にねじ込まれて、前記雪止め支持金具を前記屋根基部に固定する固定ビスと、前記ベース部と前記防水部材の前記ベース部の周囲部を覆うように配置され、前記突出部が貫通されるシール部材と、前記突出部に支持される雪止めバーと、前記突出部に前記雪止めバーを固定する固定部材とを有し、前記突出部は、前記ベース部の上面に設けられた円柱部と、前記円柱部より小径であって、前記円柱部の上面の中央部に接続されたボルト部と、前記円柱部の上面と前記ボルト部の側面により形成され、前記雪止めバーを支持する段部とからなることを特徴とする。
【０００９】
この構成によると、雪止め支持金具は、屋根の表面の平坦状の部分に防水部材を介して配置されて、固定ビスによって屋根基部に固定される。したがって、平坦状の部分を有する屋根であればどのような種類の屋根であっても雪止め支持金具を設置することができ、屋根材の接続部や端部を利用せずに雪止め支持金具を屋根に固定することができる。また、雪止め支持金具は、屋根材の接続部や端部を利用せずに固定ビスによって屋根に固定されるため、屋根の表面全体が防水部材で覆われていても設置することができる。
さらに、雪止め支持金具のベース部と防水部材のベース部の周囲部は、シール部材によって覆われるため、雪止め支持金具を固定するために屋根材に孔を開けても防水性を確保できる。
【図面の簡単な説明】
【００１０】
【図１】本発明の実施形態に係る雪止め構造を伴った屋根の防水構造の斜視図である。
【図２】図１の部分拡大断面図である。
【図３】雪止め支持金具の平面図である。
【図４】本発明の他の実施形態に係る雪止め構造を伴った屋根の防水構造の部分拡大断面図である。
【発明を実施するための形態】
【００１１】
以下、本発明の実施の形態について図面を参照しつつ説明する。
図１は、本実施形態の雪止め構造を伴った屋根１００の防水構造１（以下、雪止め有り防水構造１という）を示している。まず、雪止め有り防水構造１が適用される屋根１００の構造について説明する。
【００１２】
本実施形態の屋根１００は、縦葺き屋根の一種である瓦棒葺き屋根で構成されている。縦葺き屋根とは、屋根の傾斜方向に長い複数の屋根板１０２を設けた屋根である。瓦棒葺き屋根とは、屋根板１０２同士の連結部分に、屋根の傾斜に沿って延びる瓦棒部１０１が設けられた屋根である。屋根１００の表面のうち、瓦棒部１０１の表面以外の部分は、同一平面状に形成されている。つまり、屋根１００の表面には、平坦状の部分が形成されている。
【００１３】
屋根１００は、複数の屋根板１０２と、屋根板１０２の下方に配置された屋根下地板１０３を有する。屋根板１０２と屋根下地板１０３とを合わせたものが、屋根材に相当する。屋根下地板１０３の下方には、水平方向に延びる複数の垂木１０４（本発明の屋根基部）が屋根１００の傾斜方向に配列されている。この垂木１０４によって屋根材（屋根板１０２および屋根下地板１０３）は支えられている。なお、以下の説明において垂木１０４の延在方向と平行な方向を屋根幅方向という。屋根下地板１０３は、木製または金属製である。屋根板１０２は、金属板である。本実施形態の垂木１０４は、Ｃ形鋼であるが、Ｈ型鋼などＣ形鋼以外の鋼材であってもよく、木製の角材であってもよい。
【００１４】
なお、雪止め有り防水構造１が適用される屋根１００は、瓦棒葺き屋根に限定されるものではない。瓦棒葺き屋根以外の縦葺き屋根に適用してもよい。また、複数の屋根板が屋根の傾斜に沿って配列される横葺き屋根に適用してもよい。また、後述する雪止め支持金具３のベース部１０より大きい面積の平坦状の部分を確保できれば、折り板葺き屋根や、平板瓦の瓦屋根に適用してもよい。
【００１５】
図２に示すように、雪止め有り防水構造１は、防水部材２、雪止め支持金具３、固定ビス４、シール部材５、雪止めバー６、固定部材７を備えている。
【００１６】
防水部材２は、屋根１００の表面全体（屋根板１０２の表面全体）を覆っている。防水部材２は、ゴムまたは樹脂で形成された可撓性を有するシートである。防水部材２を構成するゴムとしては例えばＥＰＤＭ、ＩＩＲあるいはこれらのブレンド物が挙げられ、樹脂としては例えばポリビニルクロライド、ポリエチレン等が挙げられる。防水部材２は、屋根板１０２の表面に貼り付けられている。防水部材２自体が粘着層を有していてもよく、接着剤によって貼り付けられていてもよい。
【００１７】
雪止め支持金具３は、雪止めバー６を屋根１００に固定するためのものである。雪止め支持金具３は、防水部材２の上に配置される。雪止め支持金具３は、屋根１００の表面のうち瓦棒部１０１を除く部分、即ち、屋根１００の表面のうち平坦状の部分に、防水部材２を介して配置されている。
【００１８】
雪止め支持金具３は、ベース部１０と突出部１１を有する。図３に示すように、ベース部１０は、矩形状の板状に形成されている。なお、図２は、図３のＡ−Ａ線の位置で切断した断面図を示している。ベース部１０は、防水部材２の表面に配置される。ベース部１０には、４つのビス挿通孔１０ａが形成されている。突出部１１は、ベース部１０から上方（屋根１００の表面と反対側）に向かって突出している。突出部１１は、ベース部１０に接続された円柱部１２と、円柱部１２の上面の中央部に接続されたボルト部１３とを有する。円柱部１２の径は、ボルト部１３の径よりも大きい。円柱部１２の上下方向長さは、瓦棒部１０１の上下方向長さよりも長い。ボルト部１３の外周面には、ねじ溝が形成されている。
【００１９】
固定ビス４は、雪止め支持金具３を垂木１０４に固定する。固定ビス４は、雪止め支持金具３のビス挿通孔１０ａに上方から挿通され、防水部材２および屋根材（屋根板１０２および屋根下地板１０３）を貫通して垂木１０４にねじ込まれる。固定ビス４は、先端がドリル状に形成された、いわゆるセルフドリルビスである。固定ビス４は、下穴を開けずに垂木１０４を貫通できる。また、固定ビス４を垂木１０４にねじ込むことで、垂木１０４にネジ山が形成されるので、垂木１０４に固定ビス４をネジ締め固定できる。なお、垂木１０４が木製の場合には、固定ビス４はセルフドリルビスでなくてもよい。
【００２０】
シール部材５は、雪止め支持金具３のベース部１０と、防水部材２のベース部１０の周囲部を覆うように配置される。雪止め支持金具３の突出部１１は、シール部材５を貫通する。シール部材５は、第１シール材１４と、第１シール材１４の上に重ねられた第２シール材１５で構成されている。第１シール材１４は、雪止め支持金具３のベース部１０の上面と、防水部材２の上面に貼り付けられている。第２シール材１５は、第１シール材１４よりも大きく、第１シール材１４全体を覆っている。第２シール材１５は、第１シール材１４の上面と、防水部材２の上面に貼り付けられている。第１シール材１４および第２シール材１５は、非加硫ゴムからなり、自己粘着性によって貼り付けられている。接着剤を併用してより強固に固定してもよい。
【００２１】
防水部材２の表面、および、シール部材５の表面（第２シール材１５の表面）は、外観性、耐候性、遮熱性等の向上のため塗装されている。
【００２２】
雪止めバー６は、屋根１００上の積雪を支えるためのものである。雪止めバー６は、複数の雪止め支持金具３によって屋根１００に固定されている。雪止めバー６は、屋根幅方向（水平方向）に沿って延びている。雪止めバー６の屋根幅方向の長さは、屋根１００の幅と同じであっても、それより短くてもよい。なお、図１では、雪止めバー６は屋根１００の１面に１本だけ設けられているが、２本以上設けられていてもよい。
【００２３】
雪止めバー６は、取付板部１６と雪止め板部１７とからなる断面Ｌ字状の金属板で構成されている。取付板部１６には、複数の貫通孔１６ａが形成されている。貫通孔１６ａの径は、ボルト部１３の径より大きく、円柱部１２の径よりも小さい。取付板部１６の貫通孔１６ａには、雪止め支持金具３のボルト部１３が挿通される。雪止めバー６の取付板部１６は、雪止め支持金具３の突出部１１の円柱部１２に支持される。
【００２４】
取付板部１６の貫通孔１６ａから突出するボルト部１３の先端部には、固定部材７が取り付けられる。固定部材７は、ナット１８と、平座金１９と、ばね座金２０を有する。雪止めバー６は、固定部材７によって雪止め支持金具３の突出部１１のボルト部１３に固定される。
【００２５】
次に、雪止め有り防水構造１の施工手順について説明する。
【００２６】
まず、垂木１０４の位置を確認して、複数の雪止め支持金具３を設置する位置を決める。そして、屋根板１０２の表面全体を防水部材２で覆い、防水部材２を屋根板１０２の表面に貼り付ける。
【００２７】
次に、複数の雪止め支持金具３を所定の位置に配置して、各雪止め支持金具３を固定ビス４によって垂木１０４に固定する。その後、第１シール材１４を雪止め支持金具３のベース部１０とその周囲に貼り付けてから、第２シール材１５を第１シール材１４の上から貼り付ける。
【００２８】
続いて、防水部材２の表面、および、シール部材５の表面（第２シール材１５の表面）を塗装する。その後、雪止めバー６を固定部材７によって雪止め支持金具３に固定する。
【００２９】
なお、本実施形態の雪止め有り防水構造１は、屋根１００の新設時に同時に施工してもよく、既存の屋根１００に施工してもよい。
【００３０】
本実施形態の雪止め有り防水構造１では、雪止め支持金具３は、屋根１００の表面の平坦状の部分に防水部材２を介して配置されて、固定ビス４によって屋根１００基部に固定される。したがって、平坦状の部分を有する屋根であればどのような種類の屋根であっても雪止め支持金具３を設置することができ、屋根板１０２の接続部や端部を利用せずに雪止め支持金具３を屋根１００に固定することができる。また、雪止め支持金具３は、屋根板１０２の接続部や端部を利用せずに固定ビス４によって屋根１００に固定されるため、屋根１００の表面全体が防水部材２で覆われていても設置することができる。
さらに、雪止め支持金具３のベース部１０と防水部材２のベース部１０の周囲部は、シール部材５によって覆われるため、雪止め支持金具３を固定するために屋根材（屋根板１０２および屋根下地板１０３）に孔を開けても防水性を確保できる。
【００３１】
以上、本発明の好適な実施の形態について説明したが、本発明は上述の実施形態に限られるものではなく、特許請求の範囲に記載した限りにおいて様々な変更が可能である。
【００３２】
上記実施形態では、固定部材７は、ナット１８と、平座金１９と、ばね座金２０を有するが、ナット１８以外の部品が異なっていても良い。
【００３３】
上記実施形態では、雪止めバー６に形成された貫通孔１６ａに、突出部１１のボルト部１３を挿通して固定部材７で締結することで、雪止めバー６を雪止め支持金具３の突出部１１に固定しているが、雪止めバー６を雪止め支持金具３の突出部１１に固定する構造は上記に限定されない。
例えば、ボルト部１３を設ける代わりに、ベース部１０と平行で円柱部１２より面積が大きい板状部分を設け、この板状部分と雪止めバー６の取付板部１６とを重ね合わせた状態でその両端部を固定部材によって固定してもよい。
【００３４】
上記実施形態では、固定ビス４は、Ｃ形鋼である垂木１０４を貫通している。しかし、図４に示すように、固定ビス２０４は垂木１０４を貫通しなくてもよい。固定ビス２０４は、セルフドリルビスであって、上記実施形態の固定ビス４よりも短い。固定ビス２０４は、下穴を開けずに垂木１０４の上側部分（屋根材に接する部分）１０４ａを貫通できる。固定ビス２０４を垂木１０４の上側部分１０４ａにねじ込むことで、垂木１０４の上側部分１０４ａにネジ山が形成されるので、垂木１０４に固定ビス２０４をネジ締め固定できる。この構成によると、垂木１０４の下側部分に固定ビス２０４をねじ込まなくて済むので、作業性が向上する。また、上記実施形態に比べて、固定ビスが短いので、固定ビスの材料コストを低減できる。なお、図２および図４の垂木１０４はＣ形鋼である。垂木１０４がＣ形鋼以外の鋼材の場合、固定ビスは、図４と同様に垂木１０４の上側部分だけを貫通してもよく、上記実施形態と同様に垂木１０４全体を貫通してもよい。垂木１０４が木製の場合、固定ビスは垂木１０４の貫通してもよく、貫通しなくてもよい。
【符号の説明】
【００３５】
１  雪止め構造を伴った屋根の防水構造
２  防水部材
３  雪止め支持金具
４、２０４  固定ビス
５  シール部材
６  雪止めバー
７  固定部材
１０  ベース部
１０ａ  ビス挿通孔
１１  突出部
１２  円柱部
１３  ボルト部
１４  第１シール材
１５  第２シール材
１６  取付板部
１７  雪止め板部
１８  ナット
１９  平座金
２０  ばね座金
１００  屋根
１０２  屋根板（屋根材）
１０３  屋根下地板（屋根材）
１０４  垂木（屋根基部）
【図１】
0006633916.tif 000002
【図２】
0006633916.tif 000003
【図３】
0006633916.tif 000004
【図４】
0006633916.tif 000005